(57)【要約】【課題】販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる吐出器を提供する。【解決手段】吐出器１において、カバー体１８は周壁部３１が押下ヘッド１４及び案内筒部２２に外嵌されることで吐出器本体１６に装着され、押下ヘッド１４に破断可能なブリッジ部３６を介して連結された係合片３５とカバー体１８とが係合されている。【選択図】図１
2010274225.tif 000002
【特許請求の範囲】
【請求項１】
内容物が収容された容器体の口部に装着される有頂筒状の装着キャップと、前記装着キャップに上方付勢状態で下方移動可能に貫設されたステムを有するポンプと、前記ステムの上端に装着されるとともに吐出孔が形成された押下ヘッドと、を備え、前記押下ヘッドを押下して前記ステムを下方に移動させ前記ポンプを作動させることにより、前記容器体内の内容物が移送されて前記吐出孔から吐出される吐出器本体を有する吐出器であって、
前記吐出器本体のうち前記装着キャップの天壁部よりも上方に位置する上側部分を覆うカバー体を備え、
前記カバー体は、前記押下ヘッドを上方から覆う頂部と、この頂部から下方に向けて延設され前記上側部分を径方向の外側から覆うとともに下端が前記装着キャップの天壁部上に配置された周壁部と、を備え、
前記装着キャップの天壁部には、前記押下ヘッドの上下動を案内する案内筒部が立設され、
前記周壁部は、上下方向に延び下方に向けて開口する開口部を有し、前記カバー体と前記吐出器本体との径方向に沿った相対的な進退移動に伴い、前記上側部分が前記開口部を径方向に通過することで前記周壁部に対して着脱され、
前記案内筒部には、前記周壁部内に周方向に沿って延設された内壁突起部が係止されることで前記吐出器本体に対する前記カバー体の上方に向けた移動を規制する凹部が形成され、
前記押下ヘッドに、前記カバー体に係合することで前記上側部分が前記開口部を径方向に通過することを規制する係合片が、破断可能なブリッジ部を介して連結されていることを特徴とする吐出器。
【請求項２】
請求項１に記載の吐出器であって、
前記押下ヘッドが、頂壁部と、前記頂壁部の外周縁から下方に向けて延設された筒体とを有しており、
前記係合片が、側面視で前記開口部内に配置されるとともに前記筒体の下端部に前記ブリッジ部を介して連結され、前記開口部の上方の前記頂部に形成された被係合部に係合されることを特徴とする吐出器。
【請求項３】
請求項２記載の吐出器であって、
前記係合片に、他の部位よりも変形容易な変形部が形成されていることを特徴とする吐出器。
【請求項４】
請求項１に記載の吐出器であって、
前記周壁部に破断可能なブリッジ部を介して連結された一対の係合腕部を有し、
前記係合片の前記押下ヘッドの周方向の両端部に、一対の前記係合腕部がそれぞれ係合されることを特徴とする吐出器。
【請求項５】
請求項４に記載の吐出器であって、
前記周壁部の内面側に、前記案内筒部の周面に沿って配置される上面視円弧状の内壁突起部が設けられており、
一対の前記係合腕部が、前記内壁突起部の各々の先端部に破断可能なブリッジ部を介して連結されていることを特徴とする吐出器。
【発明の詳細な説明】
【技術分野】
【０００１】
本発明は、吐出器に関するものである。
【背景技術】
【０００２】
内容物が収容された容器体の口部に装着される有頂筒状の装着キャップと、この装着キャップに上方付勢状態で下方移動可能に貫設されたステムを有するポンプと、ステムの上端に装着されるとともに吐出孔が形成された押下ヘッドと、を備え、押下ヘッドを押下してステムを下方に移動させ前記ポンプを作動させることにより、容器体内の内容物が移送されて吐出孔から吐出される吐出器本体、並びにこの吐出器本体のうち装着キャップの天壁部よりも上方に位置する部分を覆うカバー体を備える吐出器が知られている。
このようなカバー体として、例えば下記特許文献１に示されるように、不意に加えられた外力を受け止め、この外力がステムに伝わるのを防ぐことで内容物が吐出されることを防止する構成が知られている。
ところで近年では、販売前の流通、保管時あるいは販売陳列時等に、他人により意図的にあるいは不意に加えられた外力によって内容物が吐出されてしまうことを防止でき、さらに未使用であることを容易に判別させることが可能な構成が要望されている。
【先行技術文献】
【特許文献】
【０００３】
【特許文献１】特開２００６−３２７６１２号公報
【発明の概要】
【発明が解決しようとする課題】
【０００４】
しかしながら、特許文献１記載の吐出器では、カバー体が吐出器本体から外れ易く、しかも外された後に再度装着されると、カバー体が外れたことがあるか否かの判別が困難であり、前述の要望に対応し難いという問題があった。
【０００５】
この発明は、このような事情を考慮してなされたもので、販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる吐出器を提供することを目的とする。
【課題を解決するための手段】
【０００６】
本発明の吐出器は、内容物が収容された容器体の口部に装着される有頂筒状の装着キャップと、前記装着キャップに上方付勢状態で下方移動可能に貫設されたステムを有するポンプと、前記ステムの上端に装着されるとともに吐出孔が形成された押下ヘッドと、を備え、前記押下ヘッドを押下して前記ステムを下方に移動させ前記ポンプを作動させることにより、前記容器体内の内容物が移送されて前記吐出孔から吐出される吐出器本体を有する吐出器であって、前記吐出器本体のうち前記装着キャップの天壁部よりも上方に位置する上側部分を覆うカバー体を備え、前記カバー体は、前記押下ヘッドを上方から覆う頂部と、この頂部から下方に向けて延設され前記上側部分を径方向の外側から覆うとともに下端が前記装着キャップの天壁部上に配置された周壁部と、を備え、前記装着キャップの天壁部には、前記押下ヘッドの上下動を案内する案内筒部が立設され、前記周壁部は、上下方向に延び下方に向けて開口する開口部を有し、前記カバー体と前記吐出器本体との径方向に沿った相対的な進退移動に伴い、前記上側部分が前記開口部を径方向に通過することで前記周壁部に対して着脱され、前記案内筒部には、前記周壁部内に周方向に沿って延設された内壁突起部が係止されることで前記吐出器本体に対する前記カバー体の上方に向けた移動を規制する凹部が形成され、前記押下ヘッドに、前記カバー体に係合することで前記上側部分が前記開口部を径方向に通過することを規制する係合片が、破断可能なブリッジ部を介して連結されていることを特徴とする。
【０００７】
この構成によれば、ブリッジ部が破断される前には、押下ヘッドとカバー体とが、これらを連結する係合片によって径方向及び周方向の移動を規制される。また、カバー体の周壁部は装着キャップの天壁部上に配置され、かつ周壁部に設けられた内壁突起部が案内筒部の凹部に係止されているので、吐出器本体に対するカバー体の上下方向の相対移動も装着キャップによって規制される。したがって、販売前の流通、保管時あるいは販売陳列時等に、他人により意図的にあるいは不意に外力が加えられてもカバー体が吐出器本体から外れるのを防ぐことができる。
【０００８】
また、カバー体を吐出器本体から外すには、ブリッジ部を破断させ、その後、カバー体と吐出器本体とを径方向に沿って引き離すように相対的に移動させ、周壁部の開口部に吐出器本体を通過させて周壁部内から離脱させる。このように、カバー体を吐出器本体から外すために係合片のブリッジ部を破断しなければならないので、ブリッジ部を破断した後は初期構造に復元不能となり、購入者にカバー体が吐出器本体から外されたことがあるか否かを容易に判別させることができる。
【０００９】
そして、購入者において内容物の使用後に保管する際には、周壁部の開口部と、吐出器本体の上側部分とを径方向で互いに対向させた状態で、カバー体と吐出器本体とを径方向に相対的に接近移動させる。これにより、吐出器本体の上側部分を周壁部の開口部に通過させて嵌合させ、カバー体を吐出器本体に装着する。装着されたカバー体は、その周壁部により押下ヘッドを径方向の外側から覆い、周壁部の下端は装着キャップの天壁部上に配置される。さらに、押下ヘッドの上方はカバー体の頂部により覆われる。
【００１０】
以上のように、販売前の流通、保管時あるいは販売陳列時、さらには購入者による内容物の使用後の保管時の別を問わず、カバー体を吐出器本体に装着した状態では、周壁部の下端が装着キャップの天壁部上に配置されるとともに、カバー体の頂部により押下ヘッドの上方が覆われているので、吐出器に押下ヘッドおよびステムを下方に移動させる外力が加えられても、その力が、周壁部を介して装着キャップに伝達されて容器体により受け止められることとなり、押下ヘッドおよびステムの下方への移動は防止される。
したがって、販売前の流通、保管時あるいは販売陳列時、さらには購入者による内容物の使用後の保管時の別を問わず、カバー体が吐出器本体に装着されているときには、不意に加えられた外力などによって内容物が吐出されてしまうのを防ぐことができる。
【００１１】
前記押下ヘッドが、頂壁部と、前記頂壁部の外周縁から下方に向けて延設された筒体とを有しており、前記係合片が、側面視で前記開口部内に配置されるとともに前記筒体の下端部に前記ブリッジ部を介して連結され、前記開口部の上方の前記頂部に形成された被係合部に係合されることも好ましい。
この構成によれば、カバー体と係合片との係合操作が容易であり、しかも係合片と被係合部との係合が解除されにくい構造とすることができる。
【００１２】
前記係合片に、他の部位よりも変形容易な変形部が形成されていることが好ましい。
この構成によれば、カバー体と係合片との係合操作をより円滑に行うことができる吐出器となる。
より具体的には、前記変形部が、前記係合片に形成された凹溝であることが好ましく、あるいは、前記係合片に、前記ブリッジ部から前記係合部に向かう方向に延びるリブが形成されており、前記変形部が、前記リブに形成された切欠部であることも好ましい。
【００１３】
前記周壁部に破断可能なブリッジ部を介して連結された一対の係合腕部を有し、前記係合片の前記押下ヘッドの周方向の両端部に、一対の前記係合腕部がそれぞれ係合される構成であってもよい。
このような構成とした場合にも、カバー体と係合片との係合操作が容易であり、しかも係合片と被係合部との係合が解除されにくい構造とすることができる。
より具体的には、前記周壁部の内面側に、前記案内筒部の周面に沿って配置される上面視円弧状の内壁突起部が設けられており、一対の前記係合腕部が、前記内壁突起部の各々の先端部に破断可能なブリッジ部を介して連結されていることが好ましい。
【００１４】
前記押下ヘッドの周面に形成された凹部と、前記周壁部の内面に形成され前記凹部に係合されることで前記カバー体の前記押下ヘッドに対する周方向の移動を規制するリブと、を有することも好ましい。
この構成によれば、カバー体と押下ヘッドとの位置合わせを簡便に行うことができ、その結果、係合腕部と係合片との位置合わせが容易に成されるため、係合腕部と係合片との連結操作を円滑に行うことができる吐出器となる。
【発明の効果】
【００１５】
本発明の吐出容器は、販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能であり、しかも購入者自身が内容物の使用を開始した後も、不意に加えられた外力により内容物が吐出されてしまうのを防ぐことができる。
【図面の簡単な説明】
【００１６】
【図１】本発明の第１実施形態に係る吐出器の半縦断面図。
【図２】図１のＢ方向矢視図。
【図３】（ａ）は図１の領域Ｘを拡大した図、（ｂ）は係合片の変形例を示す図。
【図４】ユーザーにより取り外されたカバー体及び係合片を示す図。
【図５】本発明の第２実施形態に係る吐出器の半縦断面図。
【図６】図５のＣ方向矢視図。
【図７】図５のＡ−Ａ線に沿う位置における断面図。
【発明を実施するための形態】
【００１７】
以下、図面を参照し、この発明の実施の形態について説明する。
【００１８】
（第１の実施形態）
第１の実施形態に係る吐出器１は、図１から図３に示されるように、内容物が収容された容器体２の口部２ａに装着される有頂筒状の装着キャップ１１と、この装着キャップ１１に上方付勢状態で下方移動可能に貫設されたステム１２を有するポンプ１３と、ステム１２の上端に装着されるとともに吐出孔が形成された押下ヘッド１４と、を備える吐出器本体１６、並びに吐出器本体１６のうち装着キャップ１１の天壁部１７よりも上方に位置する上側部分を覆うカバー体１８を備えている。
吐出器１は、カバー体１８を吐出器本体１６から外した状態で、押下ヘッド１４を押下してステム１２を下方に移動させポンプ１３を作動させることにより、容器体２内の内容物を移送し吐出孔から吐出させる。
【００１９】
ここで、容器体２、装着キャップ１１およびステム１２それぞれの中心軸は共通軸上に位置している。以下、この共通軸を中心軸Ｏといい、中心軸Ｏ方向に沿ってカバー体１８の頂部３０側を上側、容器体２の図示されない底部側を下側といい、また中心軸Ｏに直交する方向を径方向といい、さらに中心軸Ｏを中心に周回する方向を周方向という。
【００２０】
装着キャップ１１は、中央部に円形の開口が形成された天壁部１７と、天壁部１７の外周縁部から下方に向けて延設された外筒部２１と、天壁部１７に前記開口と同軸に配置されるとともに上方に向けて延設された案内筒部２２と、を備えている。外筒部２１の内周面には雌ねじ部が形成されており、この雌ねじ部が容器体２の口部２ａに形成された雄ねじ部に螺合されることにより、装着キャップ１１が容器体２に装着されている。案内筒部２２の基端部（装着キャップ１１との連結部）近傍には、全周にわたってフランジ部２２ａが径方向の外側に向けて突設されている。フランジ部２２ａと天壁部１７とによって案内筒部２２の全周にわたる溝状の凹部２２ｂが形成されている。
【００２１】
ポンプ１３は、ステム１２と、内部にステム１２の下部が上下動自在に配設されたシリンダ２３と、シリンダ２３の内部に上下摺動自在に配設された図示されないピストン部材と、ステム１２を上方に向けて付勢する図示されない付勢部材と、を備えている。
ステム１２の上部は、シリンダ２３の上端から上方に突出し、かつ装着キャップ１１の案内筒部２２内に配設され、さらにその上端部は案内筒部２２の上端から上方に突出している。
シリンダ２３は、円筒状に形成されるとともに中心軸Ｏと同軸に配設されている。シリンダ２３の上端には、全周にわたってフランジ部２３ａが径方向の外側に向けて突設されている。フランジ部２３ａは、装着キャップ１１の天壁部１７の下面と、容器体２の口部２ａの開口端縁上のパッキン２４と、により上下方向に挟み込まれている。シリンダ２３の下端部内には、図示されないパイプの上端部が嵌合されており、このパイプの下端開口部が容器体２内の底部に位置している。
【００２２】
押下ヘッド１４は、頂壁部２６と、頂壁部２６の下面における中央部から下方に向けて延設された筒体である装着筒部２７と、頂壁部２６の外周縁から下方に向けて延設され装着筒部２７を径方向の外側から囲繞する筒体である囲繞筒部２８と、囲繞筒部２８の外周面に径方向の外側に向けて突設された吐出筒２９とを備えている。囲繞筒部２８の外周面にはブリッジ部３６を介して係合片３５が連結されている。
装着筒部２７内にステム１２の上端部が嵌合され、装着筒部２７の内部とステム１２の内部とは連通している。吐出筒２９の先端には、吐出筒２９の内部を介して装着筒部２７の内部に連通する吐出孔２９ａが形成されている。
【００２３】
囲繞筒部２８において、上部２８ａの外周面は上方から下方に向かうに従い漸次縮径されている。一方、下部２８ｂの外周面は上下方向における全長にわたって同等の外径となっている。囲繞筒部２８の下部２８ｂの外径は、上部２８ａの下端における外径と同等である。
囲繞筒部２８の下部２８ｂにおける内径は案内筒部２２の外径よりも大きく、押下ヘッド１４の上下動に伴い、案内筒部２２が囲繞筒部２８内に下側から進退移動する。また、カバー体１８を後述のように吐出器本体１６から外したときには、囲繞筒部２８の下端開口縁は、その全周にわたって装着キャップ１１の天壁部１７の上面に上方から対向する。図示の例では、案内筒部２２の上端部は、押下ヘッド１４の押下時および非押下時の別を問わず常に囲繞筒部２８内に位置している。
【００２４】
上記の構成において、押下ヘッド１４を押下すると、まずステム１２が下方に向けて移動させられる。このステム１２の移動に追従して、上記したピストン部材がシリンダ２３の内周面に摺接しつつ下方に移動する。これにより、シリンダ２３内の内容物が圧縮され、この圧縮されたシリンダ２３内の内容物が、ステム１２内に進入してステム１２内を上方に向けて移動する。
その後、押下ヘッド１４の押下を解除すると、上記した付勢部材の上方付勢力により上記ピストン部材がシリンダ２３の内周面に摺接しつつ上方に向けて復元移動する。これにより、シリンダ２３内が減圧され、容器体２内に収容されている内容物がポンプ１３のパイプを通してシリンダ２３内に吸い上げられる。
【００２５】
そして本実施形態では、カバー体１８は、吐出器本体１６の上側部分である押下ヘッド１４と案内筒部２２とを覆うものとされている。カバー体１８は、吐出器本体１６において押下ヘッド１４を上方から覆う頂部３０と、頂部３０から下方に向けて延設され、押下ヘッド１４及び案内筒部２２の外周面に離脱可能に外嵌される周壁部３１と、を備えている。
【００２６】
頂部３０は、平板状に形成されており、押下ヘッド１４の頂壁部２６を上方からそのほぼ全域にわたって覆っている。頂部３０には上面視で押下ヘッド１４の頂壁部２６から径方向に張り出した部分が設けられており、この張り出した部分に押下ヘッド１４と連結された係合片３５が係合される貫通孔３０ａ（被係合部）が形成されている。また、頂部３０の頂壁部２６と対向する面には、頂部３０の変形を防止する２本のリブ３０ｂが設けられている。
【００２７】
周壁部３１は、その下端が装着キャップ１１の天壁部１７上に配置され、上部側が押下ヘッド１４の囲繞筒部２８の外周面に当接若しくは近接させられて、押下ヘッド１４及び案内筒部２２に外嵌されている。周壁部３１は、図２に示すように、上下方向に延び下方に向けて開口する開口部３１ａを有しており、上面視でＣ字状に形成されている。
より詳しくは、周壁部３１は、囲繞筒部２８の上部２８ａに外嵌される上部３１ｂと、囲繞筒部２８の下部２８ｂ及び案内筒部２２に外嵌される下部３１ｃとを有する。上部３１ｂの外周面は、囲繞筒部２８の上部２８ａの外周面に倣い上方から下方に向かうに従って漸次縮径されている。下部３１ｃの外周面は、囲繞筒部２８の下部２８ｂと同様に、上下方向における全長にわたって一様な外径を有する。
【００２８】
また周壁部３１の下部３１ｃは、上部３１ｂの側端面よりも周方向に張り出した張出部３１ｄ、３１ｄを有しており、下部３１ｃは囲繞筒部２８及び案内筒部２２の周方向においてそれらの半周以上を覆う長さとされている。これにより、カバー体１８および吐出器本体１６の径方向に沿った相対的な進退移動に伴い、押下ヘッド１４及び案内筒部２２が開口部３１ａを周方向に拡幅するように周壁部３１を弾性変形させながら開口部３１ａを径方向に通過することで、押下ヘッド１４及び案内筒部２２が周壁部３１内に対して着脱される。
【００２９】
周壁部３１における下部３１ｃの下端部には、上面視円弧状の内壁突起部３１ｅが形成されている。内壁突起部３１ｅは、案内筒部２２の基端近傍に形成されたフランジ部２２ａと天壁部１７との間の凹部２２ｂに嵌合される。内壁突起部３１ｅが凹部２２ｂに嵌合されることで、カバー体１８の吐出器本体１６に対する上下方向の移動が規制される。
また、下部３１ｃの案内筒部２２上端近傍には、上面視円弧状の内壁突起部３１ｆが形成されている。内壁突起部３１ｆに囲繞筒部２８の下端部が突き当てられることで、押下ヘッド１４の装着キャップ１１に対する上下方向の移動が規制される。
また、周壁部３１の上部３１ｂにおける周方向の中央部に、内部に押下ヘッド１４の吐出筒２９が収納される先端閉塞の収納体３８が径方向の外側に向けて突設されている。なお、収納体３８の内面と吐出筒２９の外面との間には隙間が設けられている。
【００３０】
上記構成のカバー体１８は、押下ヘッド１４に連結された係合片３５によって吐出部本体１６に固定される。
ここで、係合片３５は、図１及び図２に示すように矩形の板状の部材であり、囲繞筒部２８の外周面に形成された凹部２８ｃ内に、２本のブリッジ部３６を介して連結されている。係合片３５は、ブリッジ部３６を屈曲（弾性変形）させることで上下方向に揺動させることができる。
係合片３５の一方の面には、係合片３５の長さ方向に沿って延びる変形防止用のリブ３５ｂが形成されている。また係合片３５の先端には、カバー体１８の貫通孔３０ａに係止される鉤形の係止部３５ａ（係合部）が形成されている。さらに、図３（ａ）に示すように、係止部３５ａとリブ３５ｂとの間に凹溝３５ｃが形成されている。かかる凹溝３５ｃにより肉厚が薄くされた部位が、他の部位よりも変形容易な変形部とされている。
【００３１】
係合片３５をカバー体１８に固定するには、カバー体１８を吐出部本体１６に被着した状態で、図１に示すように係合片３５を上方に立ち上げ、係合片３５の係止部３５ａを頂部３０の貫通孔３０ａに係止させる。図３（ａ）に示すように、貫通孔３０ａに係止された係合片３５は、囲繞筒部２８の外周面と当接あるいは近接して配置され、囲繞筒部２８の径方向外側に突出する膨出部２８ｄと貫通孔３０ａとにより移動（上下方向の揺動）を規制される。これにより、貫通孔３０ａと係合片３５との係合が解除されることが防止される。
【００３２】
また本実施形態の場合、頂部３０のリブ３０ｂが、係合片３５によってカバー体１８が移動を規制される方向（図１左右方向、図２奥行き方向）に沿って延びており、かつ２本のリブ３０ｂが貫通孔３０ａを挟み込むようにして配置されている。これにより、貫通孔３０ａ近傍における頂部３０の変形が防止され、より係合が解除されにくい構造とされている。
【００３３】
さらに、本実施形態の場合、係合片３５に凹溝３５ｃが形成されていることで、係止部３５ａを貫通孔３０ａに円滑に係止させることができる。図３（ａ）に示すように、係合片３５を係合させる動作において、係合片３５を上方に立ち上げて貫通孔３０ａに接近させると、係合片３５の先端面３５ｄが頂部３０の側端面３０ｃに突き当たる。この状態からさらに係合片３５を囲繞筒部２８側へ押し込むと、係合片３５の凹溝３５ｃの形成部位（変形部）で係合片３５が屈曲され、先端面３５ｄが側端面３０ｃから逃がされる。これにより係止部３５ａが貫通孔３０ａ内に滑り込み、係止部３５ａが貫通孔３０ａに係止される。
【００３４】
さらに本実施形態の場合、係合片３５の先端面３５ｄが曲面形状とされるとともに、頂部３０の側端面３０ｃが斜め下方に向いた傾斜面とされている。これにより、係合片３５を囲繞筒部２８側へ押し込んだときに、先端面３５ｄを側端面３０ｃ上で摺動させることができるので、小さい力で係合片３５を押し込むことができる。
【００３５】
なお、係合片３５に設けられる変形部の構成は、図３（ａ）に示す凹溝３５ｃに限られず、係合片３５に所望の弾性変形を生じさせ得る任意の構造を採用することができる。例えば、図３（ｂ）に示すように、係合片３５に設けられたリブ３５ｂに切欠部３５ｅを形成した構成とすることができる。
かかる構成では、切欠部３５ｅが設けられた部位が、リブ３５ｂが設けられた他の部位よりも変形容易な変形部となり、係合片３５を囲繞筒部２８側へ押し込んだときに係合片３５に弾性変形を生じさせる。これにより、係止部３５ａの貫通孔３０ａ内への円滑な移動が達成される。
【００３６】
次に、吐出器１において、カバー体１８を吐出器本体１６から取り外すには、カバー体１８を図１に示す矢印ａの方向に引っ張ることで貫通孔３０ａに係止されている係合片３５に径方向への力を加え、係合片３５と押下ヘッド１４とを連結しているブリッジ部３６を破断させる。あるいは、係合片３５に直接力を加えてブリッジ部３６を破断させてもよい。そして、カバー体１８を吐出器本体１６に対して径方向に離間移動させることで、装着キャップ１１の案内筒部２２を周壁部３１の開口部３１ａに径方向に通過させ、吐出器本体１６の上側部分を周壁部３１から離脱させる。
【００３７】
上記の操作により、カバー体１８と係合片３５とが吐出器本体１６から取り外される。図４に示すように、取り外されたカバー体１８では、係合片３５は自在に移動可能となるため、係合片３５を図示の矢印ｂ方向に移動させることで容易に貫通孔３０ａから離脱させることができる。
そして、係合片３５を取り除かれたカバー体１８は、購入者において内容物の使用後に保管する際に再使用することができる。再使用する際には、カバー体１８の周壁部３１の開口部３１ａと、装着キャップ１１の案内筒部２２及び押下ヘッド１４とを径方向で互いに対向させた状態で、カバー体１８と吐出器本体１６とを相対的に径方向に接近移動させる。そうして押下ヘッド１４と案内筒部２２とを開口部３１ａに径方向に通過させて周壁部３１に嵌合させる。これにより、押下ヘッド１４は、上方から頂部３０により覆われるとともに、径方向の外側から周壁部３１により覆われ、周壁部３１の下端は、装着キャップ１１の天壁部１７上に配置される。さらに、周壁部３１の内壁突起部３１ｅは案内筒部２２の凹部２２ｂに嵌合され、内壁突起部３１ｆには囲繞筒部２８の下端が当接される。
【００３８】
以上説明したように、本実施形態による吐出器１によれば、係合片３５のブリッジ部３６が破断される前には、カバー体１８の周壁部３１が押下ヘッド１４を径方向の外側から覆い、係合片３５がカバー体１８と押下ヘッド１４とを連結しているので、カバー体１８の吐出器本体１６に対する径方向の移動が規制される。また、周壁部３１の下端部に形成された内壁突起部３１ｅが案内筒部２２の凹部２２ｂに嵌合されているので、カバー体１８の吐出器本体１６に対する上下方向の移動も規制される。
【００３９】
したがって、販売前の流通、保管時あるいは販売陳列時等に、他人により意図的にあるいは不意に外力が加えられてもカバー体１８が吐出器本体１６から外れるのを防ぐことができる。
また、カバー体１８を吐出器本体１６から外すためには、係合片３５と押下ヘッド１４とを連結しているブリッジ部３６を破断しなければならず、ブリッジ部３６を破断した後は、係合片３５は貫通孔３０ａに遊嵌状態となるか、あるいは貫通孔３０ａから脱落するため、初期構造に復元不能となる。よって、購入者にカバー体１８が吐出器本体１６から外されたことがあるか否かを容易に判別させることができる。
【００４０】
さらに、販売前の流通、保管時あるいは販売陳列時、さらには購入者による内容物の使用後の保管時の別を問わず、カバー体１８を吐出器本体１６に装着した状態では、押下ヘッド１４が上方からカバー体１８の頂部３０により覆われており、周壁部３１の下端が装着キャップ１１の天壁部１７上に配置されるとともに、内壁突起部３１ｆと囲繞筒部２８の下端とが当接した状態となる。したがって、吐出器１に押下ヘッド１４およびステム１２を下方に移動させる外力が加えられても、その力は周壁部３１を介して装着キャップ１１に伝達されて容器体２により受け止められることとなり、押下ヘッド１４およびステム１２の下方への移動を防止することができる。
よって、販売前の流通、保管時あるいは販売陳列時、さらには購入者による内容物の使用後の保管時の別を問わず、カバー体１８が吐出器本体１６に装着されているときには、不意に加えられた外力などによって内容物が吐出されてしまうのを防ぐことができる。
【００４１】
また本実施形態では、収納体３８が、周壁部３１の上部３１ｂにおける周方向の中央部に径方向の外側に向けて突設されているので、内容物の使用後にカバー体１８を再び吐出器本体１６に装着する際、収納体３８により吐出筒２９の進入方向を案内させながら周壁部３１を案内筒部２２に嵌合することが可能になり、カバー体１８を吐出器本体１６に容易に装着することができる。
【００４２】
（第２の実施形態）
以下、本発明に係る吐出器の第２の実施形態について、図５から図７を参照しつつ説明する。
なお、以下で参照する各図において、先の第１実施形態に係る吐出器１と共通の構成要素には同一の符号を付し、それらの詳細な説明は省略することとする。また、図５において破断部分に示される断面構造は、それぞれ図７に示すＥ−Ｅ線、Ｆ−Ｆ線に沿う位置における断面構造である。
【００４３】
第２の実施形態に係る吐出器１００は、図５及び図６に示されるように、内容物が収容された容器体２の口部２ａに装着される有頂筒状の装着キャップ１１１と、この装着キャップ１１１に上方付勢状態で下方移動可能に貫設された図示されないステムを有するポンプ１３と、上記ステムの上端に装着されるとともに吐出孔が形成された押下ヘッド１１４と、を備える吐出器本体１１６、並びに吐出器本体１１６のうち装着キャップ１１１の天壁部１７よりも上方に位置する上側部分を覆うカバー体１１８を備えている。
本実施形態の吐出器１００は、カバー体１１８を吐出器本体１１６から外した状態で、押下ヘッド１１４を押下して上記ステムを下方に移動させポンプ１３を作動させることにより、容器体２内の内容物を移送し吐出孔から吐出させるものである。
【００４４】
吐出器本体１１６を構成する装着キャップ１１１は、中央部に円形の開口が形成された天壁部１７と、天壁部１７の外周縁部から下方に向けて延設された外筒部２１と、天壁部１７に前記開口と同軸に配置されるとともに上方に向けて延設された案内筒部１２２と、を備えている。本実施形態の場合、案内筒部１２２の上端近傍の外周面に、溝状の凹部１２２ｂが全周にわたって形成されている。
【００４５】
押下ヘッド１１４は、頂壁部２６と、頂壁部２６の下面における中央部から下方に向けて延設された図示されない装着筒部と、頂壁部２６の外周縁から下方に向けて延設され上記装着筒部を径方向の外側から囲繞する囲繞筒部１２８と、囲繞筒部１２８の外周面に径方向の外側に向けて突設された吐出筒２９と、を備えている。囲繞筒部１２８の外周面にはブリッジ部１３６を介して係合片１３５が連結されている。
【００４６】
囲繞筒部１２８において、上部１２８ａの外周面は上方から下方に向かうに従い漸次縮径されている。一方、下部１２８ｂの外周面は上下方向における全長にわたって同等の外径となっている。下部１２８ｂの外径は、上部１２８ａの下端における外径と同等である。
囲繞筒部１２８の下部１２８ｂの外周面のうち、吐出筒２９の下方の領域には、上下方向に延びる溝状の凹部１２８ｄが形成されている。凹部１２８ｄの形成位置から外周面を回り込んだ反対側に、ブリッジ部１３６を介して係合片１３５が連結されている。
【００４７】
係合片１３５は、図７に示すように、上面視で囲繞筒部１２８の外周面に沿って延びる円弧状である。係合片１３５は、その両端部の２箇所と中央部の１箇所に形成されたブリッジ部１３６を介して囲繞筒部１２８の外周面下端部に連結されている。
係合片１３５の両端部には、それぞれ下方に突出する突起体１３７が形成されている。突起体１３７は、先端に係止部を有するキノコ形であり、笠形の係止部と、この係止部と係合片１３５とを接続する柱状の接続部とを有している。
【００４８】
カバー体１１８は、吐出器本体１１６において押下ヘッド１１４を上方から覆う頂部１３０と、頂部１３０から下方に向けて延設され、押下ヘッド１１４及び案内筒部１２２の外周面に離脱可能に外嵌される周壁部１３１と、を備えている。
【００４９】
頂部１３０は、平板状に形成されており、押下ヘッド１１４の頂壁部２６を上方からそのほぼ全域にわたって覆っている。
周壁部１３１は、その下端が装着キャップ１１１の天壁部１７上に配置され、上部側が押下ヘッド１１４の囲繞筒部１２８の外周面に当接若しくは近接させられて、押下ヘッド１１４及び案内筒部１２２に外嵌されている。周壁部１３１は、図５及び図７に示すように、上下方向に延び下方に向けて開口する開口部１３１ａを有する上面視Ｃ字状に形成されている。
周壁部１３１は、図６に示すように、囲繞筒部１２８の上部１２８ａに外嵌される上部１３１ｂと、囲繞筒部１２８の下部１２８ｂ及び案内筒部１２２に外嵌される下部１３１ｃとを有する。上部１３１ｂの外周面は、囲繞筒部１２８の上部１２８ａの外周面に倣い上方から下方に向かうに従って漸次縮径されている。一方、下部１３１ｃの外周面は、囲繞筒部１２８の下部１２８ｂと同様に上下方向における全長にわたって一様な外径を有する。
【００５０】
また周壁部１３１の下部１３１ｃは、図５に示すように、上部１３１ｂの側端面よりも周方向に張り出した張出部１３１ｄを有しており、かかる張出部１３１ｄが形成された部位において、下部１３１ｃは囲繞筒部１２８の半周以上を覆う長さとされている。これにより、カバー体１１８および吐出器本体１１６の径方向に沿った相対的な進退移動に伴い、押下ヘッド１１４及び案内筒部１２２が、開口部１３１ａを周方向に拡幅するように周壁部１３１を弾性変形させながら開口部１３１ａを径方向に通過することで、押下ヘッド１１４及び案内筒部１２２が周壁部１３１内に対して着脱される。
【００５１】
周壁部１３１の下部１３１ｃの内面には、案内筒部１２２の凹部１２２ｂに嵌合される円弧状の内壁突起部１４０が形成されている。内壁突起部１４０の両端には、それぞれ、ブリッジ部１４６を介して係合腕部１４５が連結されている。
また、下部１３１ｃの内面において案内筒部１２２の外周面と対向する領域には、リブ１３１ｅが設けられている。かかるリブ１３１ｅは、周壁部１３１の変形を防止する部材であるとともに、カバー体１１８を吐出器本体１１６に装着したときに案内筒部１２２の外周面に突き当たり、周壁部１３１と案内筒部１２２との間隔を規定する部材となる。
また、下部１３１ｃの内面において、押下ヘッド１１４の凹部１２８ｄと対向する領域には、リブ１３１ｆが設けられている。かかるリブ１３１ｆはカバー体１１８を吐出器本体１１６に装着したときに凹部１２８ｄに係合され、カバー体１１８と吐出器本体１１６との軸回りの相対移動を規制する。
【００５２】
また、周壁部１３１の上部１３１ｂにおける周方向の中央部に、内部に押下ヘッド１１４の吐出筒２９が収納される先端閉塞の収納体３８が径方向の外側に向けて突設されている。なお、収納体３８の内面と吐出筒２９の外面との間には隙間が設けられている。
【００５３】
上記構成のカバー体１１８は、押下ヘッド１１４に連結された係合片１３５と、周壁部１３１に連結された係合腕部１４５とを係合させることにより吐出器本体１１６に固定される。
ここで、係合腕部１４５は、図５及び図７に示すように、矩形の板状の部材であり、周壁部１３１の内面に形成された内壁突起部１４０の先端に、破断可能なブリッジ部１４６を介して連結されている。係合腕部１４５の先端側には、係合片１３５の突起体１３７が係止される貫通孔１４５ａが形成されている。
周壁部１３１を案内筒部１２２に外嵌させると、内壁突起部１４０は、案内筒部１２２の凹部１２２ｂに嵌合され、ブリッジ部１４６から延びる係合腕部１４５の貫通孔１４５ａが、係合片１３５の突起体１３７と上面視で重なる位置に配置される。この状態から、係合腕部１４５を上方に移動させ貫通孔１４５ａに突起体１３７を挿入する。すると、突起体１３７の係止部が貫通孔１４５ａに引っかかり、係合片１３５と２つの係合腕部１４５とが連結される。
なお、本実施形態では、周壁部１３１の内面に形成されたリブ１３１ｆを囲繞筒部１２８の外周面に形成された凹部１２８ｄに係止させることで、周壁部１３１と押下ヘッド１１４とが周方向に位置合わせされる。これにより、係合腕部１４５の貫通孔１４５ａと、係合片１３５の突起体１３７との位置合わせが容易かつ確実に成される。
【００５４】
次に、吐出器１００において、カバー体１１８を吐出器本体１１６から取り外すには、まず、カバー体１１８を押下ヘッド１１４に固定している係合片１３５に力を加えて取り去る。その際、係合片１３５と係合腕部１４５とは突起体１３７と貫通孔１４５ａとにより連結されているので、係合片１３５に力を加えるとブリッジ部１３６及びブリッジ部１４６が破断される。これにより、図７に示すように、係合片１３５と係合腕部１４５とが吐出器本体１１６から離脱される。
その後、カバー体１１８を吐出器本体１１６に対して径方向（図５の矢印ａ方向）に離間移動させることで、装着キャップ１１１の案内筒部１２２を周壁部１３１の開口部１３１ａに径方向に通過させて離脱させる。
【００５５】
また本実施形態においても、係合腕部１４５を取り除かれたカバー体１１８は、購入者において内容物の使用後に保管する際に再使用することができる。この場合には、周壁部１３１の開口部１３１ａと、装着キャップ１１１の案内筒部１２２及び押下ヘッド１１４とを径方向で互いに対向させた状態で、カバー体１１８と吐出器本体１１６とを相対的に径方向に接近移動させる。そうして押下ヘッド１１４と案内筒部１２２とを開口部１３１ａに径方向に通過させ、周壁部１３１に嵌合させ、カバー体１１８を吐出器本体１１６に装着する。これにより、押下ヘッド１１４は、上方から頂部１３０により覆われるとともに、径方向の外側から周壁部１３１により覆われ、周壁部１３１の下端は、装着キャップ１１１の天壁部１７上に配置される。さらに、周壁部１３１の内壁突起部１４０は案内筒部１２２の凹部１２２ｂに嵌合され、内壁突起部１４０の上面には囲繞筒部１２８の下端が突き当てられる。
【００５６】
以上説明したように、本実施形態による吐出器１００においても、係合片１３５のブリッジ部１３６及び係合腕部１４５のブリッジ部１４６が破断される前には、押下ヘッド１１４とカバー体１１８とが固定されており、カバー体１１８の吐出器本体１１６に対する径方向の移動が規制される。また、周壁部１３１に形成された内壁突起部１４０が案内筒部１２２の凹部１２２ｂに嵌合されているので、カバー体１１８の吐出器本体１１６に対する上下方向の移動も規制される。
【００５７】
したがって、販売前の流通、保管時あるいは販売陳列時等に、他人により意図的にあるいは不意に外力が加えられてもカバー体１１８が吐出器本体１１６から外れるのを防ぐことができる。
また、カバー体１１８を吐出器本体１１６から外すためには、係合片１３５と押下ヘッド１１４とを連結しているブリッジ部１３６、及び係合腕部１４５と内壁突起部１４０とを連結しているブリッジ部１４６を破断しなければならず、ブリッジ部１３６、１４６を破断した後は、係合片１３５及び係合腕部１４５は取り去られるため、初期構造に復元不能となる。よって、カバー体１１８が吐出器本体１１６から外されたことがあるか否かを購入者に容易に判別させることができる。
【００５８】
さらに、販売前の流通、保管時あるいは販売陳列時、さらには購入者による内容物の使用後の保管時の別を問わず、カバー体１１８を吐出器本体１１６に装着した状態では、押下ヘッド１１４が上方からもカバー体１１８の頂部１３０により覆われており、周壁部１３１の下端が装着キャップ１１１の天壁部１７上に配置されるとともに、内壁突起部１４０の上面と囲繞筒部１２８の下端とが当接した状態となる。したがって、吐出器１００に対してカバー体１１８の上方から外力が加えられても、その力は周壁部１３１を介して装着キャップ１１１に伝達されて容器体２（装着キャップ１１１）により受け止められることとなり、押下ヘッド１１４の下方への移動を防止することができる。
よって、販売前の流通、保管時あるいは販売陳列時、さらには購入者による内容物の使用後の保管時の別を問わず、カバー体１１８が吐出器本体１１６に装着されているときには、不意に加えられた外力などによって内容物が吐出されてしまうのを防ぐことができる。
【００５９】
また本実施形態においても、収納体３８が、周壁部１３１の上部１３１ｂにおける周方向の中央部に径方向の外側に向けて突設されているので、内容物の使用後にカバー体１１８を再び吐出器本体１１６に装着する際、収納体３８により吐出筒２９の進入方向を案内させながら周壁部１３１を案内筒部１２２に嵌合することが可能になり、カバー体１１８を吐出器本体１１６に容易に装着することができる。
【００６０】
なお、本発明の技術的範囲は前記実施の形態に限定されるものではなく、本発明の趣旨を逸脱しない範囲において種々の変更を加えることが可能である。
【００６１】
例えば、押下ヘッド１４、１１４において、内壁突起部３１ｆ、１３１ｆの上面に、上側から囲繞筒部２８、１２８の下端開口縁が当接若しくは近接する構成としたが、内壁突起部３１ｆ、１３１ｆは設けなくとも良い。
【００６２】
また、押下ヘッド１４、１１４に吐出筒２９を設けなくてもよい。また、カバー体１８、１１８に収納体３８を設けなくてもよい。また、ポンプ１３は、前記実施形態に限らず例えば、空気シリンダや空気ピストン等がポンプ１３に付け加えられたいわゆるフォーマポンプや、霧化用のチップを吐出孔に設けたスプレーポンプ、エアゾールバルブ等としてもよい。
さらに、装着キャップを容器の口部に凹凸係合（所謂、アンダーカット係合）やスナップ嵌合によって取り付けてもよい。
【００６３】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００６４】
販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる。
【符号の説明】
【００６５】
１，１００  吐出器、２  容器体、２ａ  口部、１１，１１１  装着キャップ、１７  天壁部、１２  ステム、１３  ポンプ、１４，１１４  押下ヘッド、１６，１１６  吐出器本体、１８，１１８  カバー体、２１  外筒部、２２，１２２  案内筒部、２２ｂ，１２２ｂ  凹部、２３  シリンダ、２６  頂壁部、２７  装着筒部、２８，１２８  囲繞筒部、２９  吐出筒、３０  頂部、３０ａ，１４５ａ  貫通孔（被係合部）、３１，１３１  周壁部、３１ａ  開口部、３２  頂部、３５，１３５  係合片、３６，１３６，１４６  ブリッジ部、３８  収納体、１３７  突起体、１４０  内壁突起部、１４５  係合腕部、Ｏ  中心軸
【図１】
2010274225.tif 000003
【図２】
2010274225.tif 000004
【図３】
2010274225.tif 000005
【図４】
2010274225.tif 000006
【図５】
2010274225.tif 000007
【図６】
2010274225.tif 000008
【図７】
2010274225.tif 000009